(57)【要約】【課題】管理者によるコンテンツの評価を支援すること。【解決手段】コンテンツ管理装置１は、コンテンツのＵＲＬから生成した属性情報と、該コンテンツの閲覧の許否に関する評価を示す一又は複数の評価情報とを関連付けて記憶する評価記憶部１３と、コンテンツを要求する通信端末Ｍｃから該コンテンツのＵＲＬを受信するＵＲＬ受信部１４と、そのＵＲＬに対応する一又は複数の評価情報を評価記憶部１３から読み出して集約することで集約情報を生成する集約部１６と、生成された集約情報を通信端末Ｍｐに送信するとともに、受信したＵＲＬに対応するコンテンツの評価を通信端末Ｍｐに問い合わせる問合せ部１７と、問合せに応じて通信端末Ｍｐから送信された評価情報を受信する評価情報受信部１８と、受信した評価情報を属性情報と関連付けて評価記憶部１３に登録する登録部１９とを備える。【選択図】図１
2010140187.tif 000002
【特許請求の範囲】
【請求項１】
コンテンツを識別する識別情報と、該コンテンツの閲覧の許否に関する評価を示す一又は複数の評価情報とを関連付けて記憶する評価記憶手段と、
コンテンツを要求する第１の通信端末から該コンテンツの識別情報を受信する識別情報受信手段と、
前記識別情報受信手段により受信された識別情報に対応する一又は複数の評価情報を前記評価記憶手段から読み出し、読み出した評価情報を集約することで集約情報を生成する集約手段と、
前記集約手段により生成された集約情報を第２の通信端末に送信するとともに、前記識別情報受信手段により受信された識別情報に対応するコンテンツの評価を該第２の通信端末に問い合わせる問合せ手段と、
前記問合せ手段による問合せに応じて前記第２の通信端末から送信された評価情報を受信する評価情報受信手段と、
前記評価情報受信手段により受信された評価情報を、前記識別情報受信手段により受信された識別情報と関連付けて前記評価記憶手段に登録する登録手段と、
を備えるコンテンツ管理装置。
【請求項２】
コンテンツの属性を示す属性情報と、該属性を有するコンテンツの閲覧の許否に関する評価を示す一又は複数の評価情報とを関連付けて記憶する評価記憶手段と、
コンテンツを要求する第１の通信端末から該コンテンツを識別する識別情報を受信する識別情報受信手段と、
前記識別情報受信手段により受信された識別情報に対応する属性情報を生成する属性情報生成手段と、
前記属性情報生成手段により生成された属性情報に対応する一又は複数の評価情報を前記評価記憶手段から読み出し、読み出した評価情報を集約することで集約情報を生成する集約手段と、
前記集約手段により生成された集約情報を第２の通信端末に送信するとともに、前記識別情報受信手段により受信された識別情報に対応するコンテンツの評価を該第２の通信端末に問い合わせる問合せ手段と、
前記問合せ手段による問合せに応じて前記第２の通信端末から送信された評価情報を受信する評価情報受信手段と、
前記評価情報受信手段により受信された評価情報を、前記属性情報生成手段により生成された属性情報と関連付けて前記評価記憶手段に登録する登録手段と、
を備えるコンテンツ管理装置。
【請求項３】
通信端末の利用者を認証するための認証情報を記憶する認証情報記憶手段と、
前記第１の通信端末又は前記第２の通信端末から受信した認証情報と前記認証情報記憶手段内の認証情報とを照合する認証手段と、
を更に備え、
前記識別情報受信手段が、前記認証手段により受信された前記第１の通信端末の認証情報と一致する認証情報が前記認証情報記憶手段内に存在する場合に、該第１の通信端末から前記識別情報を受信し、
前記評価情報受信手段が、前記認証手段により受信された前記第２の通信端末の認証情報と一致する認証情報が前記認証情報記憶手段内に存在する場合に、該第２の通信端末から前記評価情報を受信する、
請求項１又は２に記載のコンテンツ管理装置。
【請求項４】
前記評価情報受信手段により受信された評価情報がコンテンツの閲覧を許可することを示している場合には、前記識別情報受信手段により受信された識別情報に対応するコンテンツへのアクセスを前記第１の通信端末に許可し、そうでない場合には、前記第１の通信端末による該コンテンツへのアクセスを拒否するアクセス制御手段を更に備える請求項１〜３のいずれか一項に記載のコンテンツ管理装置。
【請求項５】
コンテンツを識別する識別情報と、一又は複数の通信端末から受信した、該コンテンツの閲覧の許否に関する評価を示す一又は複数の評価情報とを関連付けて記憶する評価記憶手段と、
コンテンツを要求する第１の通信端末から該コンテンツの識別情報を受信する識別情報受信手段と、
前記第１の通信端末がコンテンツにアクセスするための条件を示す条件情報を前記第２の通信端末から受信する条件受信手段と、
前記識別情報受信手段により受信された識別情報に対応する一又は複数の評価情報を前記評価記憶手段から読み出し、読み出した評価情報を集約することで集約情報を生成する集約手段と、
前記集約手段により生成された集約情報が前記条件受信手段により受信された条件情報で示される条件を満たす場合には、前記識別情報受信手段により受信された識別情報に対応するコンテンツへのアクセスを前記第１の通信端末に許可し、そうでない場合には、前記第１の通信端末による該コンテンツへのアクセスを拒否するアクセス制御手段と、
を備えるコンテンツ管理装置。
【請求項６】
コンテンツを識別する識別情報と、該コンテンツの閲覧の許否に関する評価を示す一又は複数の評価情報とを関連付けて記憶する評価記憶手段を備えるコンテンツ管理装置により実行されるコンテンツ管理方法であって、
コンテンツを要求する第１の通信端末から該コンテンツの識別情報を受信する識別情報受信ステップと、
前記識別情報受信ステップにおいて受信された識別情報に対応する一又は複数の評価情報を前記評価記憶手段から読み出し、読み出した評価情報を集約することで集約情報を生成する集約ステップと、
前記集約ステップにおいて生成された集約情報を第２の通信端末に送信するとともに、前記識別情報受信ステップにおいて受信された識別情報に対応するコンテンツの評価を該第２の通信端末に問い合わせる問合せステップと、
前記問合せステップにおける問合せに応じて前記第２の通信端末から送信された評価情報を受信する評価情報受信ステップと、
前記評価情報受信ステップにおいて受信された評価情報を、前記識別情報受信ステップにおいて受信された識別情報と関連付けて前記評価記憶手段に登録する登録ステップと、
を含むコンテンツ管理方法。
【発明の詳細な説明】
【技術分野】
【０００１】
本発明は、コンテンツ閲覧制御に用いる情報を管理するコンテンツ管理装置及びコンテンツ管理方法に関する。
【背景技術】
【０００２】
従来から、未成年者がインターネットを介して不適切な情報に接することを制限するために、ウェブフィルタリングと呼ばれる技術が用いられている。このウェブフィルタリング技術は、ポジティブリスト方式、ネガティブリスト方式及びコンテンツ検証方式に大別される。
【０００３】
ポジティブリスト方式は、「適切な情報」の提供元を識別する情報（Uniform Resource Locator（ＵＲＬ））のリストであるポジティブリストを保持し、アクセス先のＵＲＬがポジティブリストに含まれる場合のみアクセスを許可するという手法である。ネガティブリスト方式は、「不適切な情報」の提供元を識別する情報（ＵＲＬ）のリストであるネガティブリストを保持し、アクセス先のＵＲＬがネガティブリストに含まれる場合にアクセスを禁止するという手法である。コンテンツ検証方式は、アクセスされようとしているコンテンツが適切か否かを検証し（例えば「不適切な単語」が含まれる頻度の検証など)、不適切ならばアクセスを禁止するという手法である。
【０００４】
例えば下記特許文献１には、ポジティブリストに相当するホワイトＵＲＬテーブルと、ネガティブリストに相当するブラックＵＲＬテーブルとを備え、入力されたＵＲＬがこれらテーブル内に格納されていればウェブサイトへのアクセスを許可又は拒否する技術が記載されている。
【特許文献１】特開２００８−２３４３３２号公報
【発明の開示】
【発明が解決しようとする課題】
【０００５】
しかしながら、ポジティブリスト方式又はネガティブリスト方式では、ネットワーク上の全てのコンテンツを網羅したリストを構築することが困難であり、閲覧制限の設定に漏れが生じるおそれがある。また、コンテンツ検証方式では、コンテンツが適切であるか否かを機械的に判断することが困難である。例えば、一般的な単語を隠語として用いるような出会い系サイトを現状の自然言語処理技術を用いて検知することは難しい。したがって、例えば未成年者の親などのように、他人によるコンテンツへのアクセスを監視及び制限したい管理者にとっては、自身の判断でアクセス制限を設定できれば便利である。しかし、ユーザ自身がコンテンツの適切性を評価するのは困難である。
【０００６】
本発明は上記課題を解決するためになされたものであり、管理者によるコンテンツの評価を支援することが可能なコンテンツ管理装置及びコンテンツ管理方法を提供することを目的とする。
【課題を解決するための手段】
【０００７】
本発明のコンテンツ管理装置は、コンテンツを識別する識別情報と、該コンテンツの閲覧の許否に関する評価を示す一又は複数の評価情報とを関連付けて記憶する評価記憶手段と、コンテンツを要求する第１の通信端末から該コンテンツの識別情報を受信する識別情報受信手段と、識別情報受信手段により受信された識別情報に対応する一又は複数の評価情報を評価記憶手段から読み出し、読み出した評価情報を集約することで集約情報を生成する集約手段と、集約手段により生成された集約情報を第２の通信端末に送信するとともに、識別情報受信手段により受信された識別情報に対応するコンテンツの評価を該第２の通信端末に問い合わせる問合せ手段と、問合せ手段による問合せに応じて第２の通信端末から送信された評価情報を受信する評価情報受信手段と、評価情報受信手段により受信された評価情報を、識別情報受信手段により受信された識別情報と関連付けて評価記憶手段に登録する登録手段と、を備える。
【０００８】
また本発明のコンテンツ管理方法は、コンテンツを識別する識別情報と、該コンテンツの閲覧の許否に関する評価を示す一又は複数の評価情報とを関連付けて記憶する評価記憶手段を備えるコンテンツ管理装置により実行されるコンテンツ管理方法であって、コンテンツを要求する第１の通信端末から該コンテンツの識別情報を受信する識別情報受信ステップと、識別情報受信ステップにおいて受信された識別情報に対応する一又は複数の評価情報を評価記憶手段から読み出し、読み出した評価情報を集約することで集約情報を生成する集約ステップと、集約ステップにおいて生成された集約情報を第２の通信端末に送信するとともに、識別情報受信ステップにおいて受信された識別情報に対応するコンテンツの評価を該第２の通信端末に問い合わせる問合せステップと、問合せステップにおける問合せに応じて第２の通信端末から送信された評価情報を受信する評価情報受信ステップと、評価情報受信ステップにおいて受信された評価情報を、識別情報受信ステップにおいて受信された識別情報と関連付けて評価記憶手段に登録する登録ステップと、を含む。
【０００９】
このようなコンテンツ管理装置及びコンテンツ管理方法によれば、第１の通信端末から要求されたコンテンツについての評価を第２の通信端末に問い合わせる際に、そのコンテンツに対応する評価情報が集約されて第２の通信端末に送信される。これにより、第２の通信端末のユーザ（管理者）は、第１の通信端末のユーザがコンテンツにアクセスしてよいか否かを評価する際に、既に為された評価の傾向を知ることができる。すなわち、管理者によるコンテンツの評価を支援することが可能になる。また、問合せに応じて第２の通信端末から送信された評価情報が登録されるので、管理者の意見を次の評価に反映させることができる。更に、この評価情報はコンテンツの識別情報と関連付けて記憶されるので、コンテンツ単位に評価情報を集約して第２の通信端末のユーザに集約結果を提供できる。
【００１０】
本発明のコンテンツ管理装置は、コンテンツの属性を示す属性情報と、該属性を有するコンテンツの閲覧の許否に関する評価を示す一又は複数の評価情報とを関連付けて記憶する評価記憶手段と、コンテンツを要求する第１の通信端末から該コンテンツを識別する識別情報を受信する識別情報受信手段と、識別情報受信手段により受信された識別情報に対応する属性情報を生成する属性情報生成手段と、属性情報生成手段により生成された属性情報に対応する一又は複数の評価情報を評価記憶手段から読み出し、読み出した評価情報を集約することで集約情報を生成する集約手段と、集約手段により生成された集約情報を第２の通信端末に送信するとともに、識別情報受信手段により受信された識別情報に対応するコンテンツの評価を該第２の通信端末に問い合わせる問合せ手段と、問合せ手段による問合せに応じて第２の通信端末から送信された評価情報を受信する評価情報受信手段と、評価情報受信手段により受信された評価情報を、属性情報生成手段により生成された属性情報と関連付けて評価記憶手段に登録する登録手段と、を備える。
【００１１】
このようなコンテンツ管理装置によれば、第１の通信端末から要求されたコンテンツについての評価を第２の通信端末に問い合わせる際に、そのコンテンツの属性に対応する評価情報が集約されて第２の通信端末に送信される。これにより、第２の通信端末のユーザ（管理者）は、第１の通信端末のユーザがコンテンツにアクセスしてよいか否かを評価する際に、既に為された評価の傾向を知ることができる。すなわち、管理者によるコンテンツの評価を支援することが可能になる。また、問合せに応じて第２の通信端末から送信された評価情報が登録されるので、管理者の意見を次の評価に反映させることができる。更に、この評価情報はコンテンツの属性と関連付けて記憶されるので、コンテンツの特性や特徴毎に評価情報を集約して第２の通信端末のユーザに集約結果を提供できる。
【００１２】
本発明のコンテンツ管理装置では、通信端末の利用者を認証するための認証情報を記憶する認証情報記憶手段と、第１の通信端末又は第２の通信端末から受信した認証情報と認証情報記憶手段内の認証情報とを照合する認証手段と、を更に備え、識別情報受信手段が、認証手段により受信された第１の通信端末の認証情報と一致する認証情報が認証情報記憶手段内に存在する場合に、該第１の通信端末から識別情報を受信し、評価情報受信手段が、認証手段により受信された第２の通信端末の認証情報と一致する認証情報が認証情報記憶手段内に存在する場合に、該第２の通信端末から評価情報を受信することが好ましい。
【００１３】
この場合、通信端末から受信した認証情報が予め記憶されている認証情報と一致しない限りコンテンツの要求や評価情報の受信が実行されないので、コンテンツ管理のセキュリティを高めることができる。
【００１４】
本発明のコンテンツ管理装置では、評価情報受信手段により受信された評価情報がコンテンツの閲覧を許可することを示している場合には、識別情報受信手段により受信された識別情報に対応するコンテンツへのアクセスを第１の通信端末に許可し、そうでない場合には、第１の通信端末による該コンテンツへのアクセスを拒否するアクセス制御手段を更に備えることが好ましい。
【００１５】
この場合、問合せに応じて第２の通信端末から送信された評価情報に基づいて、第１の通信端末によるコンテンツへのアクセスを制限することができる。
【００１６】
本発明のコンテンツ管理装置は、コンテンツを識別する識別情報と、一又は複数の通信端末から受信した、該コンテンツの閲覧の許否に関する評価を示す一又は複数の評価情報とを関連付けて記憶する評価記憶手段と、コンテンツを要求する第１の通信端末から該コンテンツの識別情報を受信する識別情報受信手段と、第１の通信端末がコンテンツにアクセスするための条件を示す条件情報を第２の通信端末から受信する条件受信手段と、識別情報受信手段により受信された識別情報に対応する一又は複数の評価情報を評価記憶手段から読み出し、読み出した評価情報を集約することで集約情報を生成する集約手段と、集約手段により生成された集約情報が条件受信手段により受信された条件情報で示される条件を満たす場合には、識別情報受信手段により受信された識別情報に対応するコンテンツへのアクセスを第１の通信端末に許可し、そうでない場合には、第１の通信端末による該コンテンツへのアクセスを拒否するアクセス制御手段と、を備える。
【００１７】
このようなコンテンツ管理装置によれば、第１の通信端末が要求したコンテンツについての評価情報が集約され、その結果が第２の通信端末により指定された条件を満たす場合に第１の通信端末によるコンテンツへのアクセスが許可される。これにより、第２の通信端末のユーザ（管理者）は他者の評価の傾向を用いてコンテンツ閲覧の許否を決定できる。
【発明の効果】
【００１８】
このようなコンテンツ管理装置及びコンテンツ管理方法によれば、第１の通信端末から要求されたコンテンツについての評価を第２の通信端末に問い合わせる際に、そのコンテンツに対応する評価情報が集約されて第２の通信端末に送信されるので、管理者（第２の通信端末のユーザ）によるコンテンツの評価を支援することができる。
【発明を実施するための最良の形態】
【００１９】
以下、添付図面を参照しながら本発明の実施形態を詳細に説明する。なお、図面の説明において同一又は同等の要素には同一の符号を付し、重複する説明を省略する。
【００２０】
（第１実施形態）
まず、図１〜３を用いて、第１実施形態に係るコンテンツ管理装置１の機能及び構成を説明する。図１はコンテンツ管理装置１の機能構成を示す図である。図２はコンテンツ管理装置１のハードウェア構成を示す図である。図３は問合せメッセージの例を示す図である。
【００２１】
コンテンツ管理装置１は、通信端末Ｍｃによるコンテンツへのアクセスを、通信端末Ｍｐから受信した評価情報に基づいて制御するコンピュータである。ここで、コンテンツとはウェブサイト上の情報や画像データなどのデジタル情報である。コンテンツ管理装置１は図示しないネットワークを介して通信端末Ｍｃ及び通信端末Ｍｐと通信することができる。通信端末Ｍｃはコンテンツ閲覧者（例えば未成年者）の機器であり、通信端末Ｍｐはコンテンツ閲覧者による閲覧を管理する者（例えば保護者）の機器である。通信端末の種類は限定されず、例えば携帯電話機や携帯情報端末（Personal Digital Assistant（ＰＤＡ））、パーソナルコンピュータなどの任意の機器に本発明を適用できる。図１では通信端末Ｍｃ，Ｍｐのみ示しているが、コンテンツ管理装置１と通信する通信端末の数は限定されない。
【００２２】
コンテンツ管理装置１は、機能的構成要素として認証情報記憶部（認証情報記憶手段）１１、認証部（認証手段）１２、評価記憶部（評価記憶手段）１３、ＵＲＬ受信部（識別情報受信手段）１４、属性情報生成部（属性情報生成手段）１５、集約部（集約手段）１６、問合せ部（問合せ手段）１７、評価情報受信部（評価情報受信手段）１８、登録部（登録手段）１９及びアクセス制御部（アクセス制御手段）２０を備えている。
【００２３】
コンテンツ管理装置１は、図２に示すように、オペレーティングシステムやアプリケーションプログラムなどを実行するＣＰＵ１０１と、ＲＯＭ及びＲＡＭで構成される主記憶部１０２と、ハードディスクなどで構成される補助記憶部１０３と、ネットワークカードなどの通信制御部１０４と、キーボードやマウスなどの入力部１０５と、モニタやプリンタなどの出力部１０６とで構成される。図１に示される各機能は、ＣＰＵ１０１や主記憶部１０２の上に所定のソフトウェアを読み込ませ、ＣＰＵ１０１の制御の下で通信制御部１０４を動作させ、主記憶部１０２や補助記憶部１０３におけるデータの読み出し及び書き込みを行うことで実現される。
【００２４】
認証情報記憶部１１は、通信端末Ｍｃ，Ｍｐの利用者を認証するための認証情報を記憶する部分である。認証情報記憶部１１は、ユーザ識別子と認証情報（例えばパスワード）とを関連付けて予め記憶している。また、認証情報記憶部１１は通信端末Ｍｃと通信端末Ｍｐとの対応も記憶している。
【００２５】
認証部１２は、通信端末Ｍｃ又は通信端末Ｍｐから受信した認証情報と認証情報記憶部１１内の認証情報とを照合する部分である。認証部１２は通信端末から受信したユーザ識別子及び認証情報の組合せと一致する情報が認証情報記憶部１１に記憶されているか否かを検査する。そして認証部１２は、一致する情報が存在した場合（認証に成功した場合）には通信端末によるコンテンツ管理装置１へのアクセスを許可し、一致する情報が無い場合（認証に失敗した場合）にはそのようなアクセスを拒否する。
【００２６】
評価記憶部１３は、コンテンツの属性を示す属性情報と、その属性を有するコンテンツの閲覧の許否に関する評価を示す一又は複数の評価情報とを関連付けて記憶する部分である。コンテンツ管理装置１は通信端末Ｍｐから逐次評価情報を受信するので、評価記憶部１３は評価情報を蓄積することになる。
【００２７】
属性情報の内容は任意に決定することができる。例えば、コンテンツを識別するＵＲＬ（識別情報）のうちスキーム及びホスト名の部分を属性情報としてもよい。具体的には、ＵＲＬが「http://xxx.ne.jp/yyy/search?word=%a5%d4%a5%bf%a5%b4」であれば、属性情報を「http://xxx.ne.jp/」と設定する。また、ＵＲＬのうちスキーム、ホスト名及びパス名の一部を属性情報としてもよい。具体的には、ＵＲＬが「http://aaa.ne.jp/bbb/20080914#p1」であれば、属性情報を「http://aaa.ne.jp/bbb/」とする。
【００２８】
評価情報も任意に設定することができる。例えば、「適切」、「不適切」という二値で評価情報を表現してもよいし、三段階以上の値や所定の範囲の数値などにより表現してもよい。本実施形態では、評価情報を「適切」、「不適切」の二値で表す。
【００２９】
ＵＲＬ受信部１４は、コンテンツを要求する通信端末ＭｃからコンテンツのＵＲＬを受信する部分である。ＵＲＬ受信部１４は、認証部１２により受信された通信端末Ｍｃの認証情報と一致する認証情報が認証情報記憶部１１に存在する場合（通信端末Ｍｃの認証に成功した場合）に、通信端末ＭｃからＵＲＬを受信して集約部１６に出力する。
【００３０】
属性情報生成部１５は、ＵＲＬ受信部１４により受信されたＵＲＬに対応する属性情報を生成する部分である。例えば、属性情報生成部１５は上記のようにＵＲＬを構成する文字列の一部を属性情報とする。属性情報生成部１５は生成した属性情報を集約部１６に出力する。
【００３１】
集約部１６は、属性情報生成部１５により生成された属性情報に対応する一又は複数の評価情報を評価記憶部１３から読み出し、読み出した評価情報を集約することで集約情報を生成する部分である。
【００３２】
集約部１６は属性情報生成部１５から入力された属性情報に対応する評価情報を評価記憶部１３から取得して取得件数が所定の閾値以上であるか否かを判定する。このとき閾値以上の評価情報を取得していれば、集約部１６はその評価情報から集約情報を生成し、属性情報と共に問合せ部１７に出力する。これに対して、閾値以上の評価情報を取得できなかった場合には集約部１６は処理を終了する。
【００３３】
集約情報の形式は限定されない。例えば集約部１６は、「適切判定が６０％で不適切判定が４０％である」というように割合で表現された集約情報を生成してもよいし、「適切判定が１５０件で不適切判定が１８０件である」というように件数で表現された集約情報を生成してもよい。また、集約部１６は適切判定及び不適切判定の一方のみについての割合や件数を表現した集約情報を生成してもよい。更に、集約部１６は同じ属性情報を有する複数のコンテンツをまとめたポシティブリスト又はネガティブリストを集約情報として生成してもよい。
【００３４】
問合せ部１７は、集約部１６により生成された集約情報を管理者の通信端末Ｍｐに送信するとともに、ＵＲＬ受信部１４により受信された識別情報に対応するコンテンツの評価を通信端末Ｍｐに問い合わせる部分である。問合せ部１７は集約部１６から入力された識別情報及び集約情報に基づいて問合せ用のメッセージを作成し通信端末Ｍｐに送信する。メッセージの送信先は、認証情報記憶部１１に記憶されている端末同士の対応を参照することで決定できる。
【００３５】
問合せ部１７は、例えば図３に示すようなメッセージを作成する。図３において集約情報は円グラフを含む統計情報Ｓとして表現されている。また、電話番号「０９０ｚｚｚｚｚｚｚｚ」は通信端末Ｍｃ（閲覧者）の電話番号であり、ＵＲＬ「ｈｔｔｐ：／／ｘｘｘ．ｚｚｚｚ．ｊｐ」はウェブサイトＡＢＣの属性情報である。図３のメッセージには、管理者がクリック可能な承認ボタン及び否認ボタンが含まれる。承認ボタンは評価情報「適切」に対応し、否認ボタンは評価情報「不適切」に対応する。なお、問合せ部１７が作成するメッセージの形式は図３に示すものに限定されない。
【００３６】
評価情報受信部１８は、問合せ部１７による問合せに応じて通信端末Ｍｐから送信された評価情報を受信する部分である。評価情報受信部１８は、認証部１２により受信された通信端末Ｍｐの認証情報と一致する認証情報が認証情報記憶部１１内に存在する場合（通信端末Ｍｐの認証が成功した場合）に通信端末Ｍｐから評価情報を受信する。通信端末Ｍｐにおいて承認ボタンが押された場合には評価情報「適切」が、否認ボタンが押された場合には評価情報「不適切」が、それぞれ属性情報と関連付けられて通信端末Ｍｐから送られてくる。評価情報受信部１８はその属性情報及び評価情報を受信して登録部１９及びアクセス制御部２０に出力する。
【００３７】
登録部１９は、評価情報受信部１８により受信された評価情報を、属性情報生成部１５により生成された属性情報と関連付けて評価記憶部１３に登録する部分である。評価情報受信部１８から入力される属性情報は、属性情報生成部１５により生成されたものと同一である。これにより、ある属性情報に対応する新たな評価情報が評価記憶部１３に記憶され、集約部１６によるその後の集約処理に反映される。
【００３８】
アクセス制御部２０は、評価情報受信部１８により受信された評価情報がコンテンツの閲覧を許可することを示している場合には、ＵＲＬ受信部１４により受信された識別情報に対応するコンテンツへのアクセスを通信端末Ｍｃに許可し、そうでない場合には、通信端末Ｍｃによるコンテンツへのアクセスを拒否する部分である。評価情報「適切」が入力された場合には、アクセス制御部２０はアクセス許可を示すメッセージを通信端末Ｍｃに送信し、通信端末Ｍｃによる対応ＵＲＬへのアクセスを受け付ける。このとき、アクセス制御部２０は、アクセスを受け付ける代わりに、ＵＲＬで示されるコンテンツを通信端末Ｍｃに送信してもよい。一方、評価情報「不適切」が入力された場合には、アクセス制御部２０は通信端末Ｍｃの対応ＵＲＬへのアクセス手段を提供することなく、アクセス拒否を示すメッセージを通信端末Ｍｃに送信する。
【００３９】
次に、図４を用いて、図１に示すコンテンツ管理装置１の動作を説明するとともに本実施形態に係るコンテンツ管理方法について説明する。図４はコンテンツ管理装置１の動作を示すシーケンス図である。
【００４０】
まず、認証部１２が通信端末Ｍｃ及び通信端末Ｍｐから認証情報を受信し（ステップＳ１１）、各認証情報と認証情報記憶部１１内の情報とを照合することで認証処理を実行する（ステップＳ１２）。以下の処理は、通信端末Ｍｃ及び通信端末Ｍｐについて認証が成功したことを前提とする。なお認証部１２は、後述するように通信端末Ｍｐから評価情報を受信する直前に、その端末の認証情報を受信して認証処理を実行してもよい。
【００４１】
その後通信端末ＭｃからＵＲＬが送信されるとＵＲＬ受信部１４がそのＵＲＬを受信し（ステップＳ１３、識別情報受信ステップ）、属性情報生成部１５がそのＵＲＬに対応する属性情報を生成する（ステップＳ１４）。続いて、集約部１６がその属性情報に関連付けられた評価情報を評価記憶部１３から取得して集約することで集約情報を生成する（ステップＳ１５、集約ステップ）。続いて、問合せ部１７がその集約情報を含む問合せメッセージを通信端末Ｍｐに送信することで、属性情報に対応するコンテンツの評価を通信端末Ｍｐに問い合わせる（ステップＳ１６、問合せステップ）。
【００４２】
その後通信端末Ｍｐが問合せに応じて評価情報を送信すると評価情報受信部１８がその情報を受信し（ステップＳ１７、評価情報受信ステップ）、登録部１９が属性情報と評価情報とを関連付けて評価記憶部１３に記憶する（ステップＳ１８、登録ステップ）。また、アクセス制御部２０がその評価情報に基づいて通信端末Ｍｃによるコンテンツへのアクセスを許可又は拒否する（ステップＳ１９）。このとき、アクセス制御部２０はアクセス許可又はアクセス拒否を示すメッセージを生成して通信端末Ｍｃに送信する（ステップＳ２０）。
【００４３】
以上説明したように、本実施形態によれば、通信端末Ｍｃから要求されたコンテンツについての評価を通信端末Ｍｐに問い合わせる際に、そのコンテンツの属性に対応する評価情報が集約されて通信端末Ｍｐに送信される。これにより、通信端末Ｍｐのユーザ（管理者）は、通信端末Ｍｃのユーザがコンテンツにアクセスしてよいか否かを評価する際に、不特定多数の他の管理者により既に為された評価の傾向を知り、自己の判断と比較することができる。すなわち、管理者によるコンテンツの評価を支援することが可能になる。
【００４４】
また、問合せに応じて通信端末Ｍｐから送信された評価情報が登録されるので、管理者の意見を次の評価に反映させることができる。これは、コンテンツ評価に積極的に参加する機会を管理者に提供することにもなる。また、評価情報を蓄積することで、評価やアクセス制御の精度を向上させることができる。更に、この評価情報はコンテンツの属性と関連付けて記憶されるので、コンテンツの特性や特徴毎に評価情報を集約して通信端末Ｍｐのユーザに集約結果を提供できる。
【００４５】
また本実施形態によれば、通信端末から受信した認証情報が予め記憶されている認証情報と一致しない限りコンテンツの要求や評価情報の受信が実行されないので、コンテンツ管理のセキュリティを高めることができる。
【００４６】
また本実施形態によれば、問合せに応じて通信端末Ｍｐから送信された評価情報に基づいて、通信端末Ｍｃによるコンテンツへのアクセスを制限することができる。
【００４７】
（第２実施形態）
図５は第２実施形態に係るコンテンツ管理装置２の機能構成を示す図である。コンテンツ管理装置２は、機能的構成要素として認証情報記憶部１１、認証部１２、評価記憶部（評価記憶手段）１３、ＵＲＬ受信部（識別情報受信手段）１４、属性情報生成部１５、集約部（集約手段）１６、設定情報受信部（条件受信手段）２１、設定情報記憶部２２及びアクセス制御部（アクセス制御手段）２３を備えている。コンテンツ管理装置２のハードウェア構成は図２に示すものと同様であり、上記各機能がハードウェアを用いてどのように実現されるかも第１実施形態と同様である。以下では、第１実施形態と異なる設定情報受信部２１、設定情報記憶部２２及びアクセス制御部２３について詳しく説明し、第１実施形態と同じ他の構成要素については説明を省略する。
【００４８】
設定情報受信部２１は、通信端末Ｍｃがコンテンツにアクセスするための条件を示す設定情報（条件情報）を通信端末Ｍｐから受信する部分である。設定情報は、例えば「適切判定が８０％以上であれば閲覧を許可する」、「不適切判定が８０％以上であれば閲覧を拒否する」というように割合を基準とした情報であってもよいし、「評価情報の件数が１００件以下の場合は閲覧を拒否する」というように件数を基準とした情報であってもよい。また、特定のコンテンツについてのアクセス許可基準を示す設定情報を用いてもよい。設定情報受信部２１はこのような設定情報を予め通信端末Ｍｐから受信して設定情報記憶部２２に出力する。
【００４９】
設定情報記憶部２２は設定情報を記憶する部分である。設定情報記憶部２２は入力された設定情報を通信端末Ｍｃの識別子と関連付けて記憶する。通信端末Ｍｐと対応する通信端末Ｍｃの識別子は、認証情報記憶部１１を検索することで取得できる。
【００５０】
アクセス制御部２３は、集約部１６により生成された集約情報が設定情報受信部２１により受信された設定情報で示される条件を満たす場合には、ＵＲＬ受信部１４により受信された識別情報に対応するコンテンツへのアクセスを通信端末Ｍｃに許可し、そうでない場合には、通信端末Ｍｃによる該コンテンツへのアクセスを拒否する部分である。
【００５１】
集約部１６から集約情報が入力されると、アクセス制御部２３は通信端末Ｍｃに関連付けられている設定情報を設定情報記憶部２２から読み出し、その設定情報と集約情報とを比較する。そして、集約情報が設定情報で示される条件を満たしている場合には、アクセス制御部２３はアクセス許可を示すメッセージを通信端末Ｍｃに送信し、通信端末Ｍｃによる対応ＵＲＬへのアクセスを受け付ける。このとき、アクセス制御部２３は、アクセスを受け付ける代わりに、ＵＲＬで示されるコンテンツを通信端末Ｍｃに送信してもよい。一方、集約情報がその条件を満たさない場合には、アクセス制御部２３は通信端末Ｍｃの対応ＵＲＬへのアクセス手段を提供することなく、アクセス拒否を示すメッセージを通信端末Ｍｃに送信する。
【００５２】
例えば、設定情報が「適切判定が８０％以上であれば閲覧を許可する」であり、集約情報が「評価情報が全部で１０００件ありそのうち９２０件が適切判定である」ことを示している場合には、アクセス制御部２３は通信端末ＭｃによるＵＲＬへのアクセスを受け付ける。
【００５３】
次に、図６を用いて、図５に示すコンテンツ管理装置２の動作を説明する。図６はコンテンツ管理装置２の動作を示すシーケンス図である。
【００５４】
コンテンツ管理装置２は予め通信端末Ｍｐから設定情報を取得する。具体的には、まず認証部１２が通信端末Ｍｐから認証情報を受信し（ステップＳ２１）、その認証情報と認証情報記憶部１１内の情報とを照合することで認証処理を実行する（ステップＳ２２）。続いて、設定情報受信部２１が通信端末Ｍｐから設定情報を受信し（ステップＳ２３）、設定情報記憶部２２がその情報を記憶する（ステップＳ２４）。
【００５５】
その後、コンテンツ管理装置２は通信端末Ｍｃからのコンテンツ要求を受け付ける。具体的には、ステップＳ２１〜Ｓ２２と同様に認証部１２が通信端末Ｍｃに対する認証処理を実行する（ステップＳ２５〜Ｓ２６）。その後に実行されるステップＳ２７〜Ｓ２９の処理は、第１実施形態におけるステップＳ１３〜Ｓ１５のものと同様である。
【００５６】
続いて、アクセス制御部２３が集約情報と設定情報との比較に基づいて通信端末Ｍｃによるコンテンツのアクセスを制御する（ステップＳ３０）。このとき、アクセス制御部２３はアクセス許可又はアクセス拒否を示すメッセージを生成して通信端末Ｍｃに送信する（ステップＳ３１）。
【００５７】
以上説明したように、本実施形態によれば、通信端末Ｍｃが要求したコンテンツについての評価情報が集約され、その結果が通信端末Ｍｐにより指定された条件（設定情報で示される条件）を満たす場合に通信端末Ｍｃによるコンテンツへのアクセスが許可される。これにより、管理者は他者の評価の傾向を用いてコンテンツ閲覧の許否を決定できる。
【００５８】
以上、本発明をその実施形態に基づいて詳細に説明した。しかし、本発明は上記実施形態に限定されるものではない。本発明は、その要旨を逸脱しない範囲で以下のような様々な変形が可能である。
【００５９】
上記各実施形態では属性情報を用いてアクセス制御を実行したが、属性情報ではなくＵＲＬなどの識別情報をそのまま用いてアクセス制御を実行してもよい。この場合、評価記憶部は識別情報と評価情報とを関連付けて記憶することになり、属性情報生成部は不要となる。このように評価情報を識別情報と関連付けて記憶することで、コンテンツ単位に評価情報を集約して管理者に集約結果を提供できる。
【００６０】
上記第１実施形態ではコンテンツ管理装置１がアクセス制御機能を備えていたが、この機能を備えず評価情報の蓄積のみを実行してもよい。この場合、コンテンツ管理装置１のアクセス制御部２０に相当する構成要素を省略できる。また、上記各実施形態ではコンテンツ管理装置が認証機能を備えていたが、この機能を省略してもよい。
【図面の簡単な説明】
【００６１】
【図１】第１実施形態に係るコンテンツ管理装置の機能構成を示す図である。
【図２】図１に示すコンテンツ管理装置のハードウェア構成を示す図である。
【図３】問合せメッセージの例を示す図である。
【図４】図１に示すコンテンツ管理装置の動作を示すシーケンス図である。
【図５】第２実施形態に係るコンテンツ管理装置の機能構成を示す図である。
【図６】図５に示すコンテンツ管理装置の動作を示すシーケンス図である。
【符号の説明】
【００６２】
１，２…コンテンツ管理装置、１１…認証情報記憶部（認証情報記憶手段）、１２…認証部（認証手段）、１３…評価記憶部（評価記憶手段）、１４…ＵＲＬ受信部（識別情報受信手段）、１５…属性情報生成部（属性情報生成手段）、１６…集約部（集約手段）、１７…問合せ部（問合せ手段）、１８…評価情報受信部（評価情報受信手段）、１９…登録部（登録手段）、２０，２３…アクセス制御部（アクセス制御手段）、２１…設定情報受信部（条件受信手段）、２２…設定情報記憶部、Ｍｃ…通信端末（第１の通信端末）、Ｍｐ…通信端末（第２の通信端末）。
【図１】
2010140187.tif 000003
【図２】
2010140187.tif 000004
【図３】
2010140187.tif 000005
【図４】
2010140187.tif 000006
【図５】
2010140187.tif 000007
【図６】
2010140187.tif 000008